(57)【要約】【課題】  搬送品収納搬送手段を購入することによって、簡便に搬送品を目的地に輸送することを可能にする。【解決手段】  搬送品を収納して搬送する搬送品収納搬送手段と、搬送品収納搬送手段を販売する取扱販売店と、搬送品収納搬送手段の所定位置には最大限の重量及び大きさ並びに一律の搬送料金と、送り主及び送り先の住所と名前等を記入する記入部が表示され、搬送品収納搬送手段に表示されている所定の宅配業者等の輸送手段と提携している搬送品預取次店と、搬送品収納搬送手段に表示されている搬送料金を搬送品預取次店に払うことで、輸送手段によって搬送品を所定の目的地に搬送する。【選択図】図１
2012240849.tif 000002
【特許請求の範囲】
【請求項１】
搬送品を収納して搬送するために使用される少なくとも一種類の搬送品収納搬送手段と、この搬送品収納搬送手段を販売するための取扱販売店とから成り、上記搬送品収納搬送手段の所定位置にはその内部に収納することができる上記搬送品に対応する決められた最大限の重量及び大きさ並びに全国一律の搬送料金とが表示された表示部と、送り主及び送り先の住所と名前等を記入することができる記入部とが設けられる一方、上記取扱販売店から搬送品収納搬送手段を購入した購入者がこの販送品収納搬送手段に上記搬送品を収納した後、上記搬送品収納搬送手段に表示されている所定の宅配業者等の輸送手段と提携しているコンビニエンスストア等の搬送品預取次店に持っていき、上記搬送品収納搬送手段に表示されている上記搬送料金を上記搬送品預取次店に払うことによって、上記輸送手段を介して搬送品を搬送品収納搬送手段に設けられた記入部に記載された所定の目的地に搬送するようにしたことを特徴とする搬送品の輸送システム。
【請求項２】
上記搬送品収納搬送手段の所定位置には、この搬送品収納搬送手段に収納することができる搬送品の決められた大きさ及び重量とこれに対応する全国一律の搬送料金とが表示される一方、上記搬送品収納搬送手段にはさらに送り主及び送り先の住所と名称等を記入する記入部と搬送品収納搬送手段の搬送を取り扱う宅配業者等から成る輸送手段とが表示されていることを特徴とする搬送品の輸送システムに供される搬送品収納搬送手段。
【発明の詳細な説明】
【技術分野】
【０００１】  本発明は、搬送品の輸送システム、詳しくは搬送品収納搬送手段を購入し、その中に搬送品を収納することによって、簡便に搬送品を目的地に輸送することができる搬送品の輸送システム及びこれに供される搬送品収納搬送手段に関する。
【背景技術】
【０００２】  従来、運送会社や宅配業者と取引きのある企業は、搬送品を送る場合の梱包資材は無償であることが多く、この梱包資材は前記運送会社や宅配業者から提供されている場合がほとんどである。これに対し、個人商店や一般家庭においてはこのような梱包資材の提供は皆無に等しく、したがって、搬送品を送るときには、その場にある適当な梱包資材の代用品を用いて包んでいるか、或いは低価格の市販されている袋タイプやボックスタイプの物入れ等を購入して、この物入れに上記搬送品を収納した後、運送会社や宅配業者等に頼んでいるのが実情である。【０００３】  また、郵便局においても前記運送会社や宅配業者に対応するような各種の取り扱い業務が行われている。仮令、ゆうパック、エックスパック等がその一例として挙げられている。ところで、このような取り扱い業務は、上記郵便局に備えられている封筒等の梱包資材を利用することでその目的を達成しているのが実情である。
【発明の開示】
【発明が解決しようとする課題】
【０００４】  然し乍ら、従来のような搬送品の輸送システムにおいては、まず、前者の場合は、その配逹料金は、搬送品の大きさ並びに集荷場所と配達場所との区間距離によって各々異なるように定められているのが実情であるとともに、前以って正確な料金の把握をすることが大変に難しいのに加え、一般の家庭や個人の商店等では梱包資材を事前に準備しておく必要があるという煩わしさに加え、送り状も書かなくってはならない面倒くささがある等の難点があった。【０００５】  一方、後者の場合は、搬送品の重量によって封筒の大きさが異なるのに加えて細かい料金分けがなされているため、送料が分かり辛く面倒であるとともに、さらに、封筒を購入した時点で既に送料も含まれているので、あらかじめ、前以ってストックしておくのにも不経済である。さらにまた、書き損じをした場合には再利用することができないのに加え、搬送品を送る場合に、その重量に対応する切手を購入して封筒に貼る煩わしい作業を行わなくてはならない、そして、郵便局に直接持参しなくてはならないために面倒である等の難点があった。【０００６】  本発明は、上記観点に鑑みてなされたものであって、特に、簡単な荷造り作業によって簡便に搬送品を目的地まで輸送することができる搬送品の輸送システム、及びこれに供される搬送品収納搬送手段を提案することをその目的とする。
【課題を解決するための手段】
【０００７】  上記課題を解決するための手段として、本発明に係る請求項１の発明は、搬送品を収納して搬送するために使用される少なくとも一種類の搬送品収納搬送手段と、この搬送品収納搬送手段を販売するための取扱販売店とから成り、上記搬送品収納搬送手段の所定位置にはその内部に収納することができる上記搬送品に対応する決められた最大限の重量及び大きさ並びに全国一律の搬送料金とが表示された表示部と、送り主及び送り先の住所と名前等を記入することができる記入部とが設けられる一方、上記取扱販売店から搬送品収納搬送手段を購入した購入者がこの販送品収納搬送手段に上記搬送品を収納した後、上記搬送品収納搬送手段に表示されている所定の宅配業者等の輸送手段と提携しているコンビニエンスストア等の搬送品預取次店に持っていき、上記搬送品収納搬送手段に表示されている上記搬送料金を上記搬送品預取次店に払うことによって、上記輸送手段を介して搬送品を搬送品収納搬送手段に設けられた記入部に記載された所定の目的地に搬送するようにしたことを特徴とする。【０００８】  また、請求項２の発明は、上記搬送品収納搬送手段の所定位置には、この搬送品収納搬送手段に収納することができる搬送品の決められた大きさ及び重量とこれに対応する全国一律の搬送料金とが表示され、また、上記搬送品収納搬送手段には更に送り主及び送り先の住所と名称等を記入する記入部と搬送品収納搬送手段の搬送を取扱う宅配業者等から成る輸送手段とが表示されたことを特徴とする。
【発明の効果】
【０００９】  上記構成のように、請求項１の発明によれば、例えば、１００円均一等の取扱販売店で搬送品収納搬送手段を買い求めるとともに、上記搬送品収納搬送手段内に搬送品を収納した後、この搬送品収納搬送手段を搬送品収納搬送手段に表示されている所定の宅配業者等から成る輸送手段と提携しているコンビニエンスストア等の搬送品預取次店に持っていく。そして、この搬送品収納搬送手段に表示されている決められた搬送料金を上記搬送品預取次店に支払うことにより、簡便で且つ確実に搬送品を目的地に輸送することができる。【００１０】  また、搬送品は、搬送品収納搬送手段の内部に収納できるものであって、且つ、決られている重量や大きさの範囲であれば全国一律の搬送料金を支払うことで輸送することができるので経済的である。加えて、郵便局の商品のように、初めから送料が含まれているものと異なり、搬送品収納搬送手段は搬送品を送るときに表示されている搬送料金を払えばよいので、例えば、搬送品収納搬送手段を文房具店や１００円均一店等で安く購入し、ストックしておくことができ経済的である。【００１１】  さらに、上搬送品収納搬送手段に表示されている記入部に、送り主及び送り先の住所と名前等を記入するだけでよく、別添付の送り状などは全く必要としないため煩わしさを解消できるとともに、搬送作業がし易いのに加えて簡便である。そして、誤記したときには別の紙を貼って書き直して使用することができる。【００１２】  さらにまた、搬送品収納搬送手段が少なくとも一種類以上あるので、搬送品の種類に対応させることが可能であって、仮令、嵩張るものであれば封筒に変えて搬送用の段ボール箱を使用すればよいので、その時々の状況に応じて対応させることができ大変に便利である。【００１３】  次に、請求項２の発明によれば、搬送品収納搬送手段を購入し、その中に搬送品を収納した後、この搬送品収納搬送手段に表示されている所定の宅配業者等から成る輸送手段を介して簡便で且つ確実に搬送品を目的地に輸送することができる。このときに、この搬送品収納搬送手段に表示されている決められた搬送料金を支払えばよい。また、搬送品は、搬送品収納搬送手段の内部に収納できるものであって、且つ、決られている重量や大きさの範囲であれば全国一律の搬送料金を支払うことで輸送することができるので経済的である。【００１４】  さらに、搬送品を送るときに限り表示されている決められた搬送料金を払えばよいので、例えば、搬送品収納搬送手段を安く購入し、ストックしておくことができ経済的であるのに加え、物入れとしての利用もできる。また、上記搬送品収納搬送手段に表示されている記入部に、送り主及び送り先の住所と名前等を記入するだけでよく、別添付の送り状などは全く必要としないため煩わしさを解消できるとともに、搬送作業がし易いのに加えて簡便である。
【発明を実施するための最良の形態】
【００１５】  以下、図面によって本発明の実地の形態の一例について説明する。【００１６】  図３及び図４において、符号Ａは請求項１と請求項２に係る発明の搬送品の輸送システムを示し、この搬送品の輸送システムＡは、搬送品収納搬送手段１と、取扱販売店２と、輸送手段３と、搬送品預取次店４と、搬送品５とによって主に構成されている。【００１７】  搬送品収納搬送手段１は図１及び図２に示すように、紙製の縦長でＡ４サイズの封筒様に形成されるとともに、その表面上部左寄りにはその内部に収納することができる搬送品５に対応する最大限の重量６と大きさ７とが表示された明記部８が設けられている。【００１８】  なお、搬送品収納搬送手段１は紙類に限るものではなく、これ以外の軟質のプラスチックスの素材で形成したものであってもよい。また、縦長に限らず横長の封筒様に形成されたものであってもよい。【００１９】  符号９は明記部８の上部近傍に設けられた搬送料金を示し、この搬送料金９の上部には、この搬送料金が全国一律送料であることが明記されている。上記において、搬送料金は８０円と表示されている。また、最大限の重量６は１キログラムまでで、大きさ７はＡ４サイズと表記されている。【００２０】  なお、搬送品収納搬送手段１はこれに限るものではなく、例えば、段ボールを用いた箱様であってもよい。これにともなって搬送品５の重量６、大きさ７も変わり、搬送料金９も異なることは勿論である。【００２１】  また、搬送料金９は必ずしも８０円に限るものではなく、Ａ４サイズ以外であれば、例えばＢ４サイズであれば、重量に合わせて１６０円、１８０円等に決められているものであってもよい。【００２２】  次に、縦長の封筒様に形成された搬送品収納搬送手段１の表面中央には、送り先の住所と名前等を記入することができる記入部１１が横長四角状に形成されている。また、上記搬送品収納搬送手段１の裏面下部の左寄りには送り主の住所と名前等を記入することができる記入部１２が横長四角状に形成されている。【００２３】  符号１５は搬送品収納搬送手段１の上部に連続して形成された蓋１４を閉じたときに確実に密封することができる密封部材であって、この密封部材１５は両面テープで形成されている。この場合、両面テープに代えて糊を使用してもよい。【００２４】  なお、記入部１２はこれに限るものではなく、例えば記入部１１と同様に搬送品収納搬送手段１の表面に形成してもよい。【００２５】  縦長の封筒様に形成された搬送品収納搬送手段１を取り扱う取扱販売店２は、文房具店や１００円均一店等のようなところで販売されているのが好ましいが、必ずしもこのような店に限るものではなく、他の商店であってもよい。【００２６】  ところで、上記搬送品収納搬送手段１の表面下部右寄りには、この搬送品収納搬送手段１内に収納される書籍からなる搬送品５を搬送するための所定の宅配業者からなる輸送手段３が表示されている。この輸送手段３としては宅配業者が用いている専用のロゴマーク等を付けるのが好ましい。また、必ずしも一社に限るものではなく、複数社であってもよい。これによって、利便性の拡大を計ることができる。【００２７】  なお、搬送品５は書籍に限るものではなく、他のものでもよ���。また、搬送手段３は必ずしも宅配業者に限るものではない。【００２８】  次に、輸送手段３は後述する搬送品預取次店４と提携されている。すなわち、文房具店や１００円均一店等からなる取扱販売店２から縦長の封筒様に形成された搬送品収納搬送手段１を購入した購入者が、この販送品収納搬送手段１に搬送品５を収納した後、上記搬送品収納搬送手段１に表示されている所定の宅配業者等の輸送手段３と提携しているコンビニエンスストア等から成る搬送品預取次店４に持っていき、上記搬送品収納搬送手段１に表示されている決められた料金、すなわち、８０円の搬送料金９を搬送品預リ取次店４に払うことによって、上記搬送品預取次店４と提携している運送業者や宅配業者からなる輸送手段３によって上記搬送品収納搬送手段１に収納された上記搬送品５を記入部１１に記載された所定の目的地に搬送する。【００２９】  なお、搬送品預取次店４はこれに限らず、例えば文具店や１００均一店からなる取扱販売店２が兼ねるようにしてもよい。これによって、利便性をさらに高めることができる。【００３０】  搬送品の輸送システムＡは上述のように構成されているので、その使用に当たっては、まず、文具店や１００円均一店からなる取扱販売店２で縦長の封筒様に形成された搬送品収納搬送手段１を買い求め、書籍からなる搬送品５をこの搬送品収納搬送手段１内に収納する。この場合、搬送品収納搬送手段１の表面にはこの搬送料金が全国一律送料であること、搬送料金は８０円、また、重量６は１キログラムまでで、大きさ７はＡ４サイズと表示されている。【００３１】  次に、搬送品収納搬送手段１の表面に表示されている宅配業者からなる輸送手段３と提携されているコンビニエンスストアから成る搬送品預取次店４に上記搬送品収納搬送手段１を持っていく。そして、縦長の封筒様に形成された搬送品収納搬送手段１に表示されている決められた搬送料金８０円を上記搬送品預取次店４に支払うだけで、宅配業者からなる上記輸送手段３によって、簡便で且つ確実に搬送品５を記入部１１に記載されている目的地に輸送することができる。【００３２】  上記において、搬送品預取次店４に搬送品収納搬送手段１を預けたときには、受け取り書を兼ねたシール（図示せず）を上記搬送品収納搬送手段１に添付してもらうことが望ましい。加えて、搬送品収納搬送手段１は搬送品５を送るときのみにその表面に表示されている決められた条件に対応する搬送料金９を払えばよいので、例えば、文房具店や１００円均一の店等から成る取扱販売店２で搬送品収納搬送手段１を安く購入し、ストックしておくことができ経済的である。【００３４】  次に、請求項３に示す搬送品の輸送システムに供される搬送品収納搬送手段１は、図１に示すように、縦長でＡ４サイズの封筒様に形成されるとともに、その表面上部左寄りにはその内部に収納することができる書籍からなる搬送品５に対応する最大限の重量６と大きさ７とが表示された明記部８が設けられている。また、上記重量６と大きさ７に対応する全国一律８０円の搬送料金９が表示されている。【００３５】  縦長の封筒様に形成された上記搬送品収納搬送手段１の表面中央には、さらに送り先の住所と名前等を記入することができる記入部１��が横長四角状に形成されている。そして、上記搬送品収納搬送手段１の裏面下部の左寄りには送り主の住所と名前等を記入することができる記入部１２が横長四角状に形成されている。【００３６】  なお、記入部１２はこれに限るものではなく、例えば記入部１１と同様に搬送品収納搬送手段１の表面に形成してもよい。【００３７】  次に、搬送品収納搬送手段１の上部には連続して蓋１４が形成されるとともに、この蓋１４の裏面にはふたを閉じたときに確実に密封することができる両面テープから成る密封部材１５が設けられている。なお、密封部材１５に代え糊を使用してもよい。また、上記搬送品収納搬送手段１の裏面下部の左寄りには送り主の住所と名前等を記入することができる記入部１２が横長四角状に形成されている。【００３８】  ところで、上記搬送品収納搬送手段１の表面下部右寄りには、宅配業者からなる輸送手段３が表示されている。輸送手段３としては宅配業者が用いている専用のロゴマーク等を付けるのが好ましい。なお、輸送手段３は必ずしも一社に限るものではなく、複数社であってもよい。これによって、利便性の拡大を計ることができる。【００３９】  上記構成の搬送品収納搬送手段１によれば、搬送品５を送るときのみにその表面に表示されている決められた条件に対応する搬送料金９を払えばよいので経済的である。また、文房具店や１００円均一の店等から成る取扱販売店で大量に安く購入し、ストックしておくことができる。【００４０】  さらに、搬送品を送らないときには、封筒様に形成された搬送品収納搬送手段１を単に紙袋として利用することができるので便利である。【００４１】  なお、上記において、文具店や１００円均一店からなる取扱販売店２で買い求めた縦長の封筒様に形成された搬送品収納搬送手段１の内部には、これとは別途に使用することができるサービスとしての搬送品収納搬送手段１を同封するようにしてもよい。これによって利用範囲の拡大を計ることができる。
【産業上の利用可能性】
【００４２】  本発明による搬送品の輸送システムＡによれば、搬送品収納搬送手段を購入することにより、簡便に搬送品を目的地に輸送することができるので、産業上の利用可能性を有する。また、搬送品の輸送システムに供される搬送品収納搬送手段１は、搬送品５を送るときにその表面に表示されている決められた条件に対応する搬送料金９のみを払えばよいので経済的である。さらに、搬送品を送らないときには、封筒様に形成された搬送品収納搬送手段１を紙袋として利用することができるので便利である。
【図面の簡単な説明】
【００４３】
【図１】本発明に係る搬送品の輸送システムにおける縦長の封筒様に形成された搬送品収納搬送手段の正面図である。
【図２】搬送品収納搬送手段の背面図である。
【図３】書籍から成る搬送品の斜視図である。
【図４】搬送品の輸送システムのブロック説明図である。
【符号の説明】
【００４４】    Ａ  搬送品の輸送システム
１  搬送品収納搬送手段
２  取扱販売店
３  輪送手段
４  搬送品預取次店
５  搬送品
８  明記部
９  搬送料金
【図１】
2012240849.tif 000003
【図２】
2012240849.tif 000004
【図３】
2012240849.tif 000005
【図４】
2012240849.tif 000006